(57)【要約】【課題】筐体の放熱性を確保しつつ、筐体内への水の浸入を抑制した照明装置の提供を目的とする。【解決手段】照明装置１は、造営材３の一面に固定される取付部材５０と、発光モジュール２０と、発光モジュール２０に電力を供給する電源回路４０と、発光モジュール２０および電源回路４０が内部に収容され、造営材３側に開口部３０ａが設けられた筐体３０と、を含む照明装置本体２と、を備える。また、開口部３０ａを囲繞するように、造営材３と照明装置本体２との間に環状のパッキン６０が介挿されている。照明装置本体２を取付部材５０に取り付けた状態において、取付部材５０と照明装置本体２とが、パッキン６０の環内側において熱的に接続されている。【選択図】図３
2014149947.tif 000002
【特許請求の範囲】
【請求項１】
造営材の一面に固定される取付部材と、
発光モジュールと、当該発光モジュールに電力を供給する電源回路と、当該発光モジュールおよび電源回路が内部に収容され、前記造営材側に開口部が設けられた筐体と、を含む照明装置本体と、
を備えた照明装置であって、
前記開口部を囲繞するように前記造営材と前記照明装置本体との間に環状のパッキンが介挿され、
前記照明装置本体を前記取付部材に取り付けた状態において、前記取付部材と前記照明装置本体とが、前記パッキンの環内側において熱的に接続されている、
ことを特徴とする照明装置。
【請求項２】
前記パッキンは、平板環状の本体部と、当該本体部から筒状に延設され、前記筐体の外周面の少なくとも一部を覆う筒状部とで構成される、
ことを特徴とする請求項１に記載の照明装置。
【請求項３】
前記照明装置本体の前記取付部材への取り付け状態における前記パッキンの厚みは、取り付け前の状態におけるパッキン厚みの５０％以上７０％以下である、
ことを特徴とする請求項１に記載の照明装置。
【請求項４】
前記パッキンを構成する材料は、シリコーン、ＥＰＤＭ（エチレンプロピレンゴム）のうち選択された１種以上を含む、
ことを特徴とする請求項３に記載の照明装置。
【請求項５】
前記照明装置本体の前記取付部材への取り付け状態において、前記取付部材と前記筐体とが、前記パッキンの環内側において接触している、
ことを特徴とする請求項１に記載の照明装置。
【請求項６】
前記取付部材は、金属製である、
ことを特徴とする請求項１に記載の照明装置。
【請求項７】
前記取付部材を構成する材料の熱伝導性は、前記パッキンを構成する材料の熱伝導性よりも高い、
ことを特徴とする請求項１に記載の照明装置。
【請求項８】
前記電源回路は、前記発光モジュールの周りに配置されている、
ことを特徴とする請求項１に記載の照明装置。
【請求項９】
前記取付部材の形状は円板状であり、
前記パッキンの形状は円環状または角環状である、
ことを特徴とする請求項１に記載の照明装置。
【発明の詳細な説明】
【技術分野】
【０００１】
本発明は、ＬＥＤ（Ｌｉｇｈｔ  Ｅｍｉｔｔｉｎｇ  Ｄｉｏｄｅ）等の発光素子を光源として備え、天井、傾斜天井、壁のような造営材に取り付けられる照明装置に関する。
【背景技術】
【０００２】
近年、ＬＥＤを光源として利用した照明装置が普及しつつある。一方、建築物用照明装置として、天井に取り付けられる照明装置が一般に用いられている。
例えば、特許文献１では、ＬＥＤを含む発光モジュールを備え、天井に取り付けられる照明装置が提案されている。図６に示すように、照明装置９０１は、光拡散部材９１０と、発光モジュール９２０と、筐体９３０と、電源回路９４０と、を備える。光拡散部材９１０は、発光モジュール９２０を覆うように配置され、発光モジュール９２０からの出射光を透過する。発光モジュール９２０は、白色ＬＥＤで構成されている。筐体９３０の形状は、天井９０３側に開口部９３０ａが設けられた筒状である。開口部９３０ａは、商用電源に（不図示）接続された電源線（不図示）を挿通するために設けられている。筐体９３０内には、発光モジュール９２０および電源回路９４０が収容されている。また、筐体９３０には、光拡散部材９１０に設けられた雄螺子部と筐体９３０に設けられた雌螺子部とが螺合することにより、光拡散部材９１０が固定されている。電源回路９４０は、発光モジュール９２０に電力を供給する。筐体９３０は、筐体９３０に設けられた螺子穴９３０ｂと天井９０３に設けられた孔９０３ａとに、螺子９７０が螺子止めされて、天井９０３に固定される。
【先行技術文献】
【特許文献】
【０００３】
【特許文献１】特開２０１１−２４３５１０号公報
【特許文献２】特開２０１１−２４３５１１号公報
【発明の概要】
【発明が解決しようとする課題】
【０００４】
ところで、造営材９０３への取り付け状態において、造営材９０３と筐体９３０における外周縁９３４との間には隙間が生じることがある。そのため、例えば、照明装置９０１を屋外や浴室等で使用した場合に、当該隙間から開口部９３０ａを介して、筐体９３０内に水が浸入するおそれがある。そして、筐体９３０内に水が浸入すると、電源回路９４０が水に濡れて破損することがある。これに対し、天井９０３と外周縁９３４との間にパッキンを介挿させ、当該パッキンにより天井９０３と外周縁９３４との隙間を埋めることで、開口部９３０ａを介した筐体９３０内への水の浸入を抑制することが考えられる。
【０００５】
一方、パッキンを構成する材料であるシリコーンやゴムは、一般に筐体９３０の外表面を構成する材料である金属や熱伝導性樹脂等よりも熱伝導性が低い。そのため、天井９０３と外周縁９３４との隙間をパッキンで埋めた照明装置では、外周縁９３４からの放熱性が低下してしまう。外周縁９３４からの放熱性が低下すると、発光モジュール９２０からの熱が筐体９３０内にこもり、例えば、発光モジュール９２０の発光輝度が低下する問題が生じる。
【０００６】
本発明は、上記した課題に鑑み、筐体の放熱性を確保しつつ、筐体内への水の浸入を抑制した照明装置の提供を目的とする。
【課題を解決するための手段】
【０００７】
上記発明の一態様に係る照明装置は、造営材の一面に固定される取付部材と、発光モジュールと、当該発光モジュールに電力を供給する電源回路と、当該発光モジュールおよび電源回路が内部に収容され、前記造営材側に開口部が設けられた筐体と、を含む照明装置本体と、を備えた照明装置であって、前記開口部を囲繞するように前記造営材と前記照明装置本体との間に環状のパッキンが介挿され、前記照明装置本体を前記取付部材に取り付けた状態において、前記取付部材と前記照明装置本体とが、前記パッキンの環内側において熱的に接続されている、ことを特徴とする。
【０００８】
また、前記照明装置において、前記パッキンは、平板環状の本体部と、当該本体部から筒状に延設され、前記筐体の外周面の少なくとも一部を覆う筒状部とで構成されてもよい。
また、前記照明装置において、前記照明装置本体の前記取付部材への取り付け状態における前記パッキンの厚みは、取り付け前の状態におけるパッキン厚みの５０％以上７０％以下であってもよい。
【０００９】
さらに、前記パッキンを構成する材料は、シリコーン、ＥＰＤＭ（エチレンプロピレンゴム）のうち選択された１種以上を含んでもよい。
また、前記照明装置において、前記照明装置本体の前記取付部材への取り付け状態において、前記取付部材と前記筐体とが、前記パッキンの環内側において接触してもよい。
また、前記照明装置において、前記取付部材は、金属製であってもよい。
【００１０】
また、前記照明装置において、前記取付部材を構成する材料の熱伝導性は、前記パッキンを構成する材料の熱伝導性よりも高くてもよい。
また、前記照明装置において、前記電源回路は、前記発光モジュールの周りに配置されてもよい。
また、前記照明装置において、前記取付部材の形状は円板状であり、前記パッキンの形状は円環状または角環状であってもよい。
【発明の効果】
【００１１】
本発明の一態様に係る照明装置では、筐体の開口部を囲繞するように、造営材と照明装置本体との間にパッキンが介挿されている。そのため、開口部を介して筐体内に水が浸入することを抑制できる。その結果、筐体内に収容された電源回路が水に濡れて破損することを抑制できる。一方、パッキンの環内側において、取付部材と照明装置本体とが熱的に接続されている。そのため、照明装置の放熱性を確保できる。
【００１２】
このように、筐体の放熱性を確保しつつ、筐体内への水の浸入を抑制した照明装置を提供できる。
【図面の簡単な説明】
【００１３】
【図１】実施の形態に係る照明装置の構成を示す斜視図である。
【図２】図１に示す照明装置を表側から見た分解斜視図である。
【図３】図１に示す照明装置の天井への取り付けの態様を説明する断面図であり、（ａ）は照明装置全体を示し、（ｂ）は（ａ）の筐体の外郭の天井側の周縁部周辺の領域の拡大図を示す。
【図４】図１に示す照明装置を天井へ取り付ける工程を説明する断面図であり、（ａ）天井に取付部材およびパッキンを取り付ける工程の断面図を示し、（ｂ）取付部材に筐体を螺子止めする工程の断面図を示し、（ｃ）照明装置の天井への取り付けが完了した状態の断面図を示す。
【図５】変形例に係る照明装置の天井への取り付けの態様を説明する断面図である。
【図６】従来の照明装置の天井への取り付けの態様を説明する断面図である。
【発明を実施するための形態】
【００１４】
本発明の一態様に係る照明装置について、図面を参照しながら説明する。以下、発光素子としてＬＥＤを利用する形態について説明する。
＜＜実施の形態＞＞
１．全体構成
図１に示すように、照明装置１は、光拡散部材１０と、発光モジュール２０と、筐体３０と、電源回路４０と、取付部材５０と、パッキン６０と、を備え、そのうちの発光モジュール２０と、筐体３０と、電源回路４０とで照明装置本体２が構成される。筐体３０の内部には、発光モジュール２０、電源回路４０等が収容されている。照明装置１の外観は、主に光拡散部材１０と、筐体３０と、取付部材５０と、パッキン６０とで構成され、その外観形状は円盤状である。
【００１５】
２．各部構成
＜光拡散部材＞
図２の分解斜視図に示すように、光拡散部材１０は、円板状の本体部１１と、本体部１１を筐体３０に取り付けるために、本体部１１の外周縁に立設された２つのフック１２とを備える。２つのフック１２は、本体部１１の中央を挟んで対向する位置に立設されており、図２では一方のフック１２しか見えていない。光拡散部材１０を構成する材料は、例えば、アクリル樹脂、ポリカーボネート樹脂、ガラス等の透光性材料である。
＜発光モジュール＞
発光モジュール２０は、表面実装型（ＳＭＤ：Ｓｕｒｆａｃｅ  Ｍｏｕｎｔ  Ｄｅｖｉｃｅ）ＬＥＤであって、略矩形状の基板２１と、基板２１上に配設された発光部２２とで構成されている。
【００１６】
基板２１は、例えば、セラミック材料や熱伝導樹脂等からなる絶縁層と、アルミニウム等からなる金属層とを積層した２層構造を有する。基板２１の表面には発光部２２と電源回路４０とを電気接続するための配線パターン（不図示）が形成されている。基板２１における発光部２２搭載面の表面は、発光部２２からの出射光を効率良く光拡散部材１０側へ反射させるために、反射特性に優れている。一方、基板２１における発光部２２搭載面と反対側の面には、シリコーン樹脂、アルミニウムやスズ等の金属箔で構成された放熱シート２５が配置されている。放熱シート２５の平面形状は、例えば、矩形状である。
【００１７】
発光部２２は、例えば、青色ＬＥＤチップと、これを封止する封止部材とで構成される。発光部２２の形状は、例えば、ドーム状である。封止部材は、例えば、黄色蛍光体粒子を混合した樹脂材料で構成される。これにより、発光部２２からは、青色ＬＥＤチップから出射した光と、黄色蛍光体粒子で変換された光とが混色して、白色光が得られる。なお、発光部２２は、白色光を発するものに限定されるものではなく、他の色の光を発するものであってもよい。
＜押さえ部材＞
押さえ部材２３は、中央に開口部２３ａが設けられた有底円筒状の本体部２３ｂと、本体部２３ｂの外周縁から延設された２つの固定部２３ｃとを有する。開口部２３ａの大きさは、発光モジュール２０の発光部２２に対応した大きさである。押さえ部材２３には、開口部２３ａから露出するよう、発光モジュール２０が配置される。押さえ部材２３を構成する材料は、例えば、熱伝導性樹脂である。本体部２３ｂの表面は、例えば、白色の塗料が塗布されることにより、発光モジュール２０からの出射光に対して反射特性に優れている。各固定部２３ｃには、それぞれ螺子穴が設けられている。
＜保護カバー＞
保護カバー２４は、発光モジュール２０および押さえ部材２３を覆うように設けられたドーム状の部材である。保護カバー２４を構成する材料は、例えば、透光性樹脂材料である。発光モジュール２０からの出射光は、保護カバー２４を透過し、光拡散部材１０を介して照明装置１の外部へ出射される。保護カバー２４を配設する目的は、発光モジュール２０を外部からの衝撃から保護し、ユーザの安全を考慮して発光モジュール２０がユーザの手に接触しないようにすることである。さらに、保護カバー２４により、押え部材２３の開口部２３ａから発光モジュール２０の周囲への異物の侵入を防止することもできる。
＜筐体＞
筐体３０は、底壁の一部に開口部が設けられた有底筒状である。筐体３０の材料は、熱伝導に優れた材料、例えば、アルミニウム、マグネシウム、セラミックスである。また、筐体３０は、開口部の周縁に連続し取付部材５０側に没入している窪み部３１と、開口部の周縁に円周状に形成された溝部３２と、溝部３２に連続した平板円環状の円環部３３と、円環部３３の外周縁に連続した円筒状の外郭３４とを備える。窪み部３１は、円板状の底壁３１ａと、底壁３１ａの外周縁に延設されたテーパー状の側壁３１ｂとを有する。側壁３１ｂは、光拡散部材１０側に向かって径が漸増しており、発光モジュール２０からの出射光を反射する反射板としての機能を果たす。溝部３２には、２つの係止部３２ａが窪み部３１の中央を挟んで対向する位置に設けられている。筐体３０の溝部３２には、光拡散部材１０のフック１２が係止部３２ａに係止されることで、光拡散部材１０が固定される。なお、光拡散部材１０により筐体３０の窪み部３１を覆うことで、螺子７０等を隠すことができる。
【００１８】
一方、筐体３０を取付部材５０側から見ると、開口部３０ａが設けられている。また、筐体３０には、窪み部３１の内の領域である第１収容部３０ｂと、円環部３３の光拡散部材１０と反対側の面および外郭３４の内周面と窪み部３１の側壁３１ｂとで囲まれた第２収容部３０ｃとが設けられている。すなわち、第２収容部３０ｂは、筐体３０における窪み部３１を除く領域である主部と筐体３０の窪み部３１の側壁３１ｂとで囲まれている。第１収容部３０ｂには、発光モジュール２０が収容されている。一方、筐体３０の第２収容部３０ｃには、回路カバー３５で覆われた電源回路４０が収容されている。
【００１９】
回路カバー３５を設ける目的は、筐体３０と電源回路４０とを絶縁するともに、電源回路４０を保持することである。回路カバー３５は、光拡散部材１０側が開放された箱状に形成され、熱伝導性の高い絶縁性樹脂材料で構成される。回路カバー３５を光拡散部材１０側から平面視したときの形状は、円弧状である。回路カバー３５の内周面には、２つの爪部３５ａおよび４つの貫通孔３５ｂが設けられている。
【００２０】
また、筐体３０には、押さえ部材２３における固定部２３ｃに設けられた螺子穴と窪み部３１の底壁３１ａに設けられた貫通孔とで、螺子が螺子止めされて押さえ部材２３が固定される。この際、発光モジュール２０の基板２１は、押さえ部材２３により筐体３０の窪み部３１の底壁３１ａに押圧され、筐体３０に固定される。
＜電源回路＞
電源回路４０は、外部電源から供給される交流を整流平滑する整流平滑回路や整流平滑回路から出力される直流電圧を昇圧または降圧する電圧変換回路等を備えるものである。
【００２１】
電源回路４０は、基板４１と、基板４１に実装された電子部品４２と、を備える。基板４１の平面形状は、円弧状である。電源回路４０は、発光モジュール２０の周りに配置されている。ここでいう「発光モジュール２０の周り」とは、発光モジュール２０からの光の主出射方向に重ならない場所をいう。照明装置１の天井３への取り付け状態においては、図３に示すように、発光モジュール２０と電源回路４０とは、天井３の下面３ｂに並行する方向に並んで配置される。電源回路４０から引き出された引き出し線４３は、端子台４４に接続される。さらに、端子台４４には、商用電源（不図示）と接続され天井の開口３ａおよび配線孔３ｃから延び、筐体３０の開口部３０ａから筐体３０内に導入された電源線４５が接続される。これにより、商用電源と電源回路４０とが電気的に接続される。その結果、電源線４５および引き出し線４３（図２）を介して、交流電流が電源回路４０に供給される。電子部品４２等で構成される回路は、例えば、供給された交流電流を所望の直流電流に変換して、発光モジュール２０に供給する。なお、端子台４４は、端子台４４に設けられた貫通孔（不図示）および筐体３０に設けられた螺子穴（不図示）にて、螺子（不図示）を螺子止めすることで、筐体３０に固定されている。
【００２２】
図２に戻って、電源回路４０は、基板４１が回路カバー３５の爪部３５ａに載置された状態で、回路カバー３５の貫通孔３５ｂと基板４１に設けられた螺子穴４１ａとに、螺子７１が螺子止めされて、回路カバー３５に固定される。
＜取付部材＞
取付部材５０は、中央に位置する円板状の本体部５１と、本体部５１の外周縁から延設され本体部５１よりも光拡散部材１０側に突出した平板環状の突出部５２とを有する構造の円板状である。また、取付部材５０の材料は、例えば、アルミニウムや鉄のような金属材料、セラミックス、熱伝導性の高い樹脂材料である。本体部５１の中央には、貫通孔５１ａおよび貫通孔５１ｂ、取付孔５１ｃが設けられている。貫通孔５１ａの大きさは、天井３の配線孔３ｃ（図２）に対応した大きさに形成されている。また、本体部５１の貫通孔５１ａ付近には、２つの隆起部５３が光拡散部材１０側に立設されている。各隆起部５３には、それぞれ螺子穴が設けられており、その表面５３ａは平面状である。突出部５２からは、２つの延出片５４が立設されている。
【００２３】
取付部材５０は、貫通孔５１ｂと取付孔５１ｃと天井３に設けられた孔（不図示）とで螺子（不図示）を螺子止めすることで、天井３に取り付けられる。なお、取付部材５０への照明装置本体２の取り付けは、光拡散部材１０側が床に対向する状態でなされる。
図３に示すように、取付部材５０の突出部５２における外周縁は、筐体３０に覆われている。また、取付部材５０には、隆起部５３に設けられた螺子穴と筐体３０の窪み部３１に設けられた貫通孔とに螺子７０が螺子止めされて、筐体３０が固定されている。さらに、パッキン６０環内側において、取付部材５０の隆起部５３の表面５３ａと、筐体３０の窪み部３１における天井３と対向する面３１ｃとは接触している。より詳しくみると、取付部材５０の表面５３ａと筐体３０の窪み部３１の面３１ｃとは互いに平面状であり、螺子７０により筐体３０を天井３側に押しつける力が働くため、表面５３ａと面３１ｃとが面接触している。
＜パッキン＞
図２に戻って、パッキン６０は、平板環状の本体部６１と、本体部６１から延設された筒状部６２とで構成される。パッキン６０の全体としての形状は、略円環状である。パッキン６０を構成する材料は、伸縮性を有し、且つ、水が透過しない材料であり、例えば、シリコーンである。図３（ａ）に示すように、パッキン６０の環内には、取付部材５０の本体部５１が嵌め込まれる。また、照明装置本体２の取付部材５０への取り付け状態において、取付部材５０と筐体３０とがパッキン６０の環内側において接触している。図３（ｂ）に示すように、パッキン６０の本体部６１は、天井３の下面３ｂと筐体３０の外郭３４の外周面の天井３側の周縁部３４ａとの隙間の全体に亘って埋め込まれている。
【００２４】
本体部６１は、筐体３０の外郭３４の外周面の天井３側の周縁部３４ａにより押されて凹んでいる。これは、螺子７０により筐体３０を天井３側に押しつける力が働くためである。
一方、パッキン６０の筒状部６２は、筐体３０の外郭３４の外周面の端部３４ｂの全体を覆っている。パッキン６０の筒状部６２における内周の直径は、外郭３４の外周面を隙間なく覆うことができるよう、例えば、外郭３４における外周の直径の５％〜１５％である。
【００２５】
なお、発光モジュール２０からの熱は、放熱シート２５を介して筐体３０の窪み部３１に伝導する。その後、当該熱は、窪み部３１における天井と対向する面３１ｃから、取付部材５０の隆起部５３の表面５３ａ、取付部材５０の本体部５１の天井３との接触面を介して、天井３へと伝導した後、天井３から放出される。このように、パッキン６０の材料の熱伝導性は、取付部材５０の材料の熱伝導性よりも低い場合であっても、筐体３０と取付部材５０とが接触し、かつ、取付部材５０の本体部５１が天井３に接触しているため、効率的な放熱が可能である。なお、筐体３０の窪み部３１に伝導した熱の一部は、螺子７０からも取付部材５０に伝導する。
【００２６】
３．照明装置の天井への取り付け方法
ところで、照明装置１の天井３への取り付けは、まず、天井３に取付部材５０が取り付けられ、次に取付部材５０に照明装置本体２が取り付けられることで行われる。以下、照明装置１の天井３への詳細な取り付け方法について、図４を用いて説明する。
まず、図４（ａ）に示すように、パッキン６０を載置した取付部材５０を、取付部材５０に設けられた貫通孔５１ｂ、取付孔５１ｃ（図２）と天井３に設けられた孔（不図示）とに、螺子（不図示）を螺子止めすることで、天井３に固定する。次に、図４（ｂ）に示すように、照明装置本体２を取付部材５０の形状にあわせて配置する。この状態で筐体３０に設けられた貫通孔と取付部材５０の隆起部５３に設けられた螺子穴とに螺子７０を螺子止めして、照明装置本体２を取付部材５０へ固定する。図４（ｃ）に示す取付部材５への取り付け状態におけるパッキン６０の厚みＨ２は、図４（ｂ）に示す取付部材５への取り付け前の状態におけるパッキン６０の厚みＨ１の５０％以上７０％以下である。なお、ここでいう「パッキン６０の厚み」とは、天井３の下面３ｂに垂直な方向でのパッキン６０の厚みをいう。最後に、光拡散部材１０のフック１２を溝部３２に挿入し回動させると、フック１２が係止部３２ａに係止される。これにより、光拡散部材１０を筐体３０に固定され、照明装置１の天井３への取り付けが完了する。
【００２７】
４．効果
照明装置１では、天井３の下面３ｂと筐体３０の外郭３４の外周面の天井３側の周縁部３４ａとの隙間の全体に亘って、パッキン６０の本体部６１が埋め込まれている。そのため、開口部３０ａを介して筐体３０内に水が浸入することを抑制できる。その結果、筐体３０内に収容された電源回路４０が、水に濡れて破損することを抑制できる。一方、取付部材５０の表面５３ａと筐体３０の窪み部３１の面３１ｃとは面接触している。これにより、パッキン６０の環内側において、取付部材５０と筐体３０とが熱的に接続されている。そのため、照明装置１の放熱性を確保できる。このように、照明装置１の天井３側の面からの放熱性を確保しつつ、筐体３０内への水の浸入を抑制した照明装置１の提供できる。
【００２８】
また、照明装置１では、筐体３０の外郭３４の外周面の端部３４ｂの全体を、パッキン６０の筒状部６２が覆っている。そのため、筐体３０の外郭３４を伝って、開口部３０ａを介して筐体３０内に水が浸入することを抑制できる。
さらに、照明装置１では、発光モジュール２０の周りに電源回路４０が配置されている。そのため、発光モジュール２０の天井３側に電源回路４０を重ねて配置した場合よりも、照明装置１の厚みを小さくすることができる。
【００２９】
また、照明装置本体２の取付部材５０への取り付けの際には、取付部材５０の本体部５１に設けられた貫通孔５１ａを基準に、照明装置本体２を配置すればよい。そのため、複数の照明装置本体２を天井３に取り付けた場合に、各照明装置１に位置ずれが生じることを抑制できる。
＜＜変形例＞＞
以上、本発明に係る照明装置の構成を、実施の形態に基づいて説明したが、本発明は上記実施の形態に限られない。上記実施の形態に記載した材料、数値等は好ましいものを例示しているだけであり、それに限定されることはない。さらに、本発明の技術的思想の範囲を逸脱しない範囲で、構成に適宜変更を加えることは可能である。
【００３０】
１．パッキンの形状
図５は、変形例に係る照明装置の天井への取り付けの態様を説明する断面図である。なお、変形例については、両者の相違点についてのみ説明し、共通する構成については同じ符号を使って説明を省略する。図５に示す変形例は、実施の形態の照明装置１に対し、パッキンの形状のみが異なる。
【００３１】
図５に示すように、照明装置１０１は、パッキン１６０を備える。パッキン１６０は、円板環状の本体部１６１のみで構成されている。この構成であっても、パッキン１６０の本体部１６１が、筐体３０の外郭３４の外周面の天井３側の周縁部３４ａを覆っている。そのため、筐体３０の外郭３４の外周面の天井３側の周縁部３４ａと天井３との隙間にパッキン１６０が埋め込まれている。そのため、照明装置１０１においても、筐体３０内への水の浸入を抑制しつつ、放熱性を確保することができる。
【００３２】
なお、上記実施の形態等では、天井への取り付け状態におけるパッキンの厚みＨ２は、天井への取り付け前の状態におけるパッキンの厚みＨ１の５０％以上７０％以下であった。また、パッキンは、天井の下面と取付部材の突出部における天井に対向する面との隙間に拡がっていた。しかしながら、これらの構成に限らず、天井の下面と筐体の外郭の外周面の天井側の周縁部との隙間にパッキンが埋め込まれていれば、電源回路への水の浸入を抑制できる。
【００３３】
また、上記実施の形態等では、パッキンの形状は円環状であったが、これに限らず、角環状であってもよい。
２．パッキンの材料
上記実施の形態等では、パッキンを構成する材料はシリコーンであったが、これに限らず、例えば、ＥＰＤＭ（エチレンプロピレンゴム）のような伸縮性があり水が透過しない材料であればよい。また、例えば、発泡ゴム等であってもよい。さらに、パッキンの材料は、シリコーン、ＥＰＤＭ（エチレンプロピレンゴム）等のうちいずれか１種のみに限らず、シリコーン、ＥＰＤＭ（エチレンプロピレンゴム）等のうち選択された１種以上を含めばよい。
【００３４】
３．照明装置の形状
上記実施の形態等では、照明装置の形状は円盤状であったが、これ以外の形状、例えば、楕円盤状や角筒状等であってもよい。
４．筐体と取付部材との固定
上記実施の形態等では、筐体と取付部材とが、パッキンの環内側において螺子止めにより固定されていた。しかしながら、これに限らず、筐体と取付部材との固定箇所は、パッキンの環外側であってもよい。また、筐体と取付部材との固定は螺子を用いる場合に限らず、例えば、接着剤等により筐体と取付部材とを貼り合わせて固定してもよい。
【００３５】
５．筐体と取付部材との熱的接続
上記実施の形態等では、筐体と取付部材とが、パッキンの環内側において螺子止めにより固定されることにより、筐体と取付部材の一面に設けられた凸部の表面とが面接触して、筐体と取付部材とが熱的に接続されていた。しかしながら、これに限らず、筐体と取付部材とが、パッキンの環外側において螺子止めにより固定されることにより、筐体と取付部材の一面に設けられた凸部の表面とが面接触して、筐体と取付部材とが熱的に接続されてもよい。
【００３６】
また、筐体と取付部材との熱的接続は、筐体と取付部材とが面接触による場合に限らず、例えば、筐体と取付部材との間に放熱シート等の熱伝導性部材を介挿してもよい。また、例えば、筐体と取付部材との間に熱が伝わる程度の隙間があってもよい。これらの構成あっても、筐体と取付部材とが熱的に接続されるので、効果を奏することができる。
６．取付部材の形状および材料
上記実施の形態等では、取付部材は天井に接触する面と筐体に接触する面とを有する板状であった。しかしながら、これに限らず、取付部材は、例えば、フック等であってもよい。このように、取付部材を備えた照明装置において、発光モジュールからの熱が、天井と筐体との間が螺子止めのみで固定されている場合よりも、多く伝導するような取付部材であればよい。
【００３７】
７．その他
本発明に係る照明装置は、屋外や浴室などの照明装置が水に濡れるおそれがある場所で用いる場合、特に有用である。また、当該照明装置は、下面が水平な天井に取り付けられるに限らず、傾斜天井、壁といった造営材に取り付けて用いることができる。
【符号の説明】
【００３８】
１          照明装置
２          照明装置本体
３          天井（造営材）
３ｂ        下面（一面）
１０        光拡散部材
２０        発光モジュール
３０        筐体
３０ａ      開口部
４０        電源回路
５０        取付部材
６０        パッキン
【図１】
2014149947.tif 000003
【図２】
2014149947.tif 000004
【図３】
2014149947.tif 000005
【図４】
2014149947.tif 000006
【図５】
2014149947.tif 000007
【図６】
2014149947.tif 000008